(57)【特許請求の範囲】
【請求項１】
解体ツール用ジョーアセンブリ（１０）において、ジョーアセンブリ（１０）は、第一のジョー（１２）と第二のジョー（１４）を有し、
第二のジョー（１４）に設置された少なくとも２つの台座部（２４）であって、スロット（２６）を有する少なくとも２つの台座部（２４）と、
少なくとも２つの台座部（２４）のそれぞれに着脱可能に装着される少なくとも１つの作動モジュール（１６）と、
を含み、
少なくとも１つの第一の作動モジュール（１６）は、
ベース（２８）と、
ベース（２８）から延びる少なくとも１つの歯（３０）と、
ベース（２８）から、少なくとも１つの歯（３０）と反対方向に延び、少なくとも１つの台座部（２４）と係合する装着要素（３２）と、
を含み、
さらに、
少なくとも１つの台座部（２４）は、
少なくとも１つの台座部（２４）の相対する壁を通って延びる穴（３４）であって、スプリングリテーナによって装着要素（３２）に接続されるピンを着脱可能に収容する穴（３４）を含み、
少なくとも１つの台座部（２４）は、スロット（２６）を取り囲んだ出っ張り（３６）を有し、
作動モジュール（１６）のベース（２８）は、出っ張り（３６）によって支持され、
少なくとも２つの台座部（２４）の間には、着脱可能に少なくとも１つの歯部材（８８）を有する作動板（１８）が設置される、
ジョーアセンブリ（１０）。
【請求項２】
請求項１に記載のジョーアセンブリ（１０）において、
１つの作動モジュール（１６）に対して１つの装着要素（３２）を備えるジョーアセンブリ（１０）。
【請求項３】
請求項１または２に記載のジョーアセンブリ（１０）において、
２つの作動モジュール（１６）が少なくとも１つの台座部（２４）に着脱可能に装着されるジョーアセンブリ（１０）。
【請求項４】
請求項３に記載のジョーアセンブリ（１０）において、
各作動モジュール（１６）の歯（３０）が、それぞれのベース（２８）を横切るように横方向に延び、各作動モジュール（１６）の歯（３０）が相互に実質的に平行であるジョーアセンブリ（１０）。
【請求項５】
請求項１または２に記載のジョーアセンブリ（１０）において、
作動モジュール（１６）のベース（２８）が台座部（２４）のスロット（２６）周りの出っ張り（３６）の上に直接支持されるジョーアセンブリ（１０）。
【請求項６】
請求項１、２、３、４または５に記載のジョーアセンブリ（１０）において、
２つの台座部（２４）を含むジョーアセンブリ（１０）。
【請求項７】
請求項６に記載のジョーアセンブリ（１０）において、
台座部（２４）が第二のジョー（１４）の両側に、側面に沿って位置付けられるジョーアセンブリ（１０）。
【請求項８】
請求項７に記載のジョーアセンブリ（１０）において、
台座部（２４）が相互に実質的に平行であるジョーアセンブリ（１０）。
【請求項９】
解体ツール用ジョーアセンブリ（１０）に着脱可能に装着するための作動モジュール（１６）において、
ベース（２８）と、
ベース（２８）から延びる少なくとも１つの歯（３０）と、
ベース（２８）から、少なくとも１つの歯（３０）と反対方向に延びて、ジョーアセンブリの第二のジョー（１４）に設置された少なくとも２つの台座部（２４）のそれぞれに連結可能な装着要素（３２）と、
を含み、
装着要素（３２）は、少なくとも設置される２つの台座部（２４）のそれぞれの相対する壁を通って延びる穴（３４）に繋がって、スプリングリテーナによって接続されるピンを着脱可能に収容される装着穴（３１）を備え、
ベース（２８）は、台座部（２４）のスロット（２６）を取り囲んだ出っ張り（３６）によって支持され、
少なくとも２つの台座部（２４）は、
ジョーアセンブリの第二のジョー（１４）に着脱可能な歯部材（８８）を有する作動板（１８）の両側に位置するように設置されている、作動モジュール（１６）。
【請求項１０】
請求項９に記載の作動モジュール（１６）において、
ベース（２８）に沿って縦方向に相互に離間される複数の歯（３０）を含む作動モジュール（１６）。
【請求項１１】
請求項９に記載の作動モジュール（１６）において、
複数の歯（３０）がベース（２８）を横切るように横方向に延び、歯（３０）が相互に実質的に平行である作動モジュール（１６）。
【請求項１２】
請求項９〜１１のいずれか１項に記載の作動モジュール（１６）において、
ベース（２８）が、ベース（２８）の周辺が少なくとも１つの台座部（２４）より外側まで延びるような寸法である作動モジュール（１６）。
【請求項１３】
請求項９〜１２のいずれか１項に記載の作動モジュール（１６）において、
ベース（２８）と装着要素（３２）の間に挟み込まれた位置決め要素（３８）をさらに含み、位置決め要素（３８）がベース（２８）の周辺の内側に設置される作動モジュール（１６）。
【請求項１４】
請求項１３に記載の作動モジュール（１６）において、
位置決め要素（３８）の周辺とベース（２８）の周辺の間に設置された肩部（４０）をさらに含み、肩部（４０）が位置決め要素（３８）を取り囲む作動モジュール（１６）。
【請求項１５】
請求項１４に記載の作動モジュール（１６）において、
肩部（４０）が少なくとも１つの台座部（２４）より外側まで延びる作動モジュール（１６）。
【発明の詳細な説明】
【技術分野】
【０００１】
本開示は、物体を破砕および／または切削するための解体ツールの分野、より詳しくは破砕ツール用の交換式作動部品の分野に関する。
【背景技術】
【０００２】
物体を粉砕および／または切断するための解体ツールは一般に広く知られている。一般に、解体ツールは、下側ジョーと上側ジョーを有するジョーアセンブリを含んでいてもよい。上側および下側ジョーは枢結されていてもよい。上側および下側ジョーは相互に関して移動可能であってもよい。刃が上側ジョーと下側ジョー両方に設けられていてもよい。被破砕材は、上側ジョーと下側ジョーを油圧式に閉じることによって破砕または切断されてもよい。
【０００３】
解体ツールは、１組のジョーを機械のジブに接続するフレームを含んでいてもよい。
【０００４】
解体ツールは、コンクリートの破砕に適したジョーアセンブリを有していてもよい。ジョーアセンブリは、他の物体を破砕または切断するため、たとえば屑鉄および／または鉄断片を切断するように適応されていてもよい。これらの物体の一部の研磨性や硬さにより、その物体と係合する表面が比較的急速に摩耗する可能性がある。
【０００５】
解体ツールには、摩耗面を有する交換式作動部品が設けられていてもよい。作動部品は、従来の方法によってジョーアセンブリに直接接続されてもよい。作動部品は、上側および／または下側ジョーに設けられてもよい。作動部品は、固定具により保持されてもよい。
【０００６】
本開示は、少なくとも部分的に、先行技術のシステムの１つまたはそれ以上の態様を改良または改善することに関する。
【発明の概要】
【課題を解決するための手段】
【０００７】
第一の態様において、本開示は解体ツール用のジョーアセンブリを説明し、このジョーアセンブリは、第一のジョーと第二のジョーを有し、第二のジョーに設置された少なくとも１つの台座部であって、スロットを有する少なくとも１つの台座部と、少なくとも１つの台座部に着脱可能に装着される少なくとも１つの作動モジュールと、を含み、少なくとも１つの第一の作動モジュールは、ベースと、ベースから延びる少なくとも１つの歯と、ベースから少なくとも１つの歯とは反対方向に延び、少なくとも１つの台座部と係合する装着要素と、を含む。
【０００８】
第二の態様において、本開示は、解体ツールのジョーアセンブリを着脱可能に装着するための作動モジュールを開示し、この作動モジュールは、ベースと、ベースから延びる少なくとも１つの歯と、ベースから少なくとも１つの歯とは反対方向に延びる装着要素と、を含み、装着要素はジョーアセンブリの第二のジョーに設置された少なくとも１つの台座部に連結可能である。
【０００９】
本開示の上記およびその他の特徴と利点は、各種の実施形態に関する以下の説明を以下のような添付の図面を参照しながら読むことにより、より十分に理解されるであろう。
【図面の簡単な説明】
【００１０】
【図１】本開示によるジョーアセンブリの斜視図である。
【図２】図１のジョーアセンブリの上側ジョーの斜視図である。
【図３】本開示による第一の交換式摩耗部品の、上から見た斜視図である。
【図４】図３の第一の交換式摩耗部品の、下から見た斜視図である。
【図５】本開示による第二の交換式摩耗部品の、上から見た斜視図である。
【図６】図５の第二の交換式摩耗部品の、下から見た斜視図である。
【図７】本開示による第一の交換式摩耗部品が装着されたジョーアセンブリの下側ジョーの斜視図である。
【図８】本開示による第一と第二の交換式摩耗部品が装着されたジョーアセンブリの下側ジョーの一部断面斜視図である。
【図９】本開示による第三の交換式摩耗部品の、上から見た斜視図である。
【図１０】図９の第三の交換式摩耗部品の、下から見た斜視図である。
【図１１】本開示による第四の交換式摩耗部品の斜視図である。
【図１２】本開示による第三と第四の交換式摩耗部品が装着されたジョーアセンブリの上側ジョーの斜視図である。
【図１３】本開示による第三と第四の交換式摩耗部品が装着されたジョーアセンブリの上側ジョーの側面図である。
【図１４】本開示による第一、第二、第三、第四の交換式摩耗部品が装着されたジョーアセンブリの斜視図である。
【発明を実施するための形態】
【００１１】
本開示は一般に、解体ツールの１組のジョーのための交換式摩耗部品に関する。
【００１２】
図１は、第一のジョー１２と第二のジョー１４を有するジョーアセンブリ１０を示す。第一のジョー１２と第二のジョー１４は長くてもよい。第一のジョー１２と第二のジョー１４は、相互に関して移動するように接続されていてもよい。第一のジョー１２と第二のジョー１４は、それぞれの端の枢結部を通じて接続されていてもよい。第一のジョー１２と第二のジョー１４は対向面を有し、そこに摩耗部品が装着されてもよい。
【００１３】
ある実施形態において、第一のジョー１２は上側ジョーであってもよく、第二のジョー１４は下側ジョーであってもよい。
【００１４】
第二のジョー１４は、第一のアーム１３と第二のアーム１５を有していてもよい。アーム１３、１５は実質的にＴ字形であってもよい。アーム１３、１５は、枢結部を通じて接続されたそれぞれの端を有していてもよい。接続アーム１３、１５には、枢結部を通じて接続された端の反対側に、別の接続点が設けられていてもよい。第一のアーム１３と第二のアーム１５は、接続部を有する部分から延びる、交換式摩耗部品を装着するように構成された装着部１７を有していてもよい。第二のジョー１４は、交換式摩耗部品を装着するための台座部２４と支持部７４を有していてもよい。
【００１５】
少なくとも１つの台座部２４が第二のジョー１４に設置されていてもよい。台座部２４は、アーム１３、１５の、枢結部を通じて接続された端とは反対の端に位置付けられていてもよい。台座部２４は長くてもよい。台座部２４は中空であってもよく、その１面はスロット２６として形成されている。スロット２６は長くてもよく、装着部１７の縦軸に平行であってもよい。
【００１６】
台座部２４は、スロット２６を取り囲む出っ張り３６を含んでいてもよい。台座部２４は、台座部２４の相対する壁を通って延びる穴３４を含んでいてもよい。穴３４は、交換式摩耗部品を装着するためのボルトを取り外し可能に収容してもよい。
【００１７】
ある実施形態において、２つの台座部２４が第二のジョー１４に設置されていてもよい。台座部２４は、アーム１３、１５の、枢結部を通じて接続された端と反対の端に設置されていてもよい。台座部２４は、第二のジョー１４の反対側の面の側面に沿って位置付けられていてもよい。台座部２４は第一のアーム１３に接続されていてもよく、台座部２４は第二のアーム１５に接続されていてもよい。台座部２４は、相互に実質的に平行であってもよい。
【００１８】
支持部７４は、第二のジョー１４の中央に設置されていてもよい。支持部７４は、アーム１３、１５間に位置付けられてもよい。支持部７４は、１対の台座部２４間に位置付けられてもよい。
【００１９】
支持部７４は、第一の接触面７６と第二の接触面７８を有していてもよい。第一の接触面７６は、第二の接触面７８に関して傾斜していてもよい。湾曲面７７が第一の接触面７６と第二の接触面７８を接続していてもよい。
【００２０】
第一の接触面７６は第一の平面上にあってもよく、１対の台座部２４のスロット２６を取り囲む出っ張り３６は、第二の平面上にあってもよい。第一の平面は、第二の平面に実質的に平行であってもよい。第一の接触面７６は出っ張り３６から離間されていてもよく、それによって第二の平面は第一の平面の上に重なる。
【００２１】
支持部７４は、開口部８０を有していてもよい。開口部８０は、第一の接触面７６に設けられていてもよい。開口部８０は、各台座部２４から等距離だけ離間されていてもよい。開口部８０は、どのような適当な形状であってもよい。ある実施形態において、開口部８０は円形であってもよい。ある実施形態において、開口部８０は長く、端が円形であってもよい。
【００２２】
図３と４は交換式摩耗部品を示しており、これは解体ツールのジョーアセンブリ１０に着脱可能に装着できる作動モジュール１６である。作動モジュール１６は、第二のジョー１４に着脱可能に装着されてもよい。作動モジュール１６は、台座部２４に着脱可能に装着されてもよい。
【００２３】
第一の作動モジュール１６はベース２８を含んでいてもよい。ベース２８は、台座部２４の出っ張り３６の上に適合する寸法であってもよい。ベース２８は長方形であってもよい。
【００２４】
ベース２８は、ベース２８の周辺が台座部２４より外側まで延びるような大きさであってもよい。ベース２８は、ベース２８の周辺が第一の接触面７６より外側まで延びるような大きさであってもよい。
【００２５】
作動モジュール１６は、少なくとも１つの歯３０を有していてもよい。歯３０は、ベース２８から延びていてもよい。作動モジュール１６は、装着要素３２を有していてもよい。装着要素３２は、ベース２８から歯３０と反対の方向に延びていてもよい。装着要素３２は、少なくとも１つの台座部２４と係合するように構成されていてもよい。装着要素３２は装着穴３１を有していてもよい。作動モジュール１６が台座部２４に位置付けられた状態で、装着穴３１は、台座部２４に設けられた穴３４と同心であってもよい。
【００２６】
作動モジュール１６は、複数の歯３０を有していてもよい。歯は、ベース２８に沿って縦方向に相互に離間されていてもよい。複数の歯３０は、ベース２８を横方向に横切っていてもよい。歯３０は、相互に実質的に平行であってもよい。作動モジュール１６が台座部２４に位置付けられた状態で、歯３０の縦軸はスロット２６の縦軸に垂直であってもよい。
【００２７】
各歯３０は、傾斜した側面を有していてもよく、ピラミッド形であってもよい。各歯の傾斜側面は角距離で離間されていてもよい。各歯３０は、切形頂点４２を有していてもよい。
【００２８】
作動モジュール１６は、位置決め要素３８をさらに含んでいてもよい。位置決め要素３８は、ベース２８と装着要素３２の間に挟まれていてもよい。位置決め要素３８は、ベース２８の周辺の内側に設置されるような大きさであってもよい。位置決め要素３８の周辺は、ベース２８に、ベース２８の周辺の内側に設置されてもよい。ある実施形態において、位置決め要素３８は、その角が切り取られていてもよい。
【００２９】
作動モジュール１６は、位置決め要素３８の周辺とベース要素２８の周辺の間に設置された肩部４０をさらに含んでいてもよい。肩部４０は、位置決め要素３８を取り囲んでいてもよい。肩部４０は、出っ張り３６に当接し、その上に載るように構成されていてもよい。肩部４０は、台座部２４より外側まで延びてもよい。肩部４０は、出っ張り３６の外側まで延びてもよい。肩部４０は、第一の接触面７６の上まで延びてもよい。ベース２８は、肩部４０が出っ張り３６より外側に、第一の接触面７６の上に延びてもよい。
【００３０】
図７を参照すると、２つの作動モジュール１６が少なくとも１つの台座部２４に着脱可能に装着されていてもよい。作動モジュール１６は端同士を合わせて位置付けられてもよく、それによってそれぞれの縦方向が同軸となる。作動モジュール１６のベース２８は、出っ張り３６の上に支持されてもよい。各作動モジュール１６の歯３０は、それぞれのベース２８を横切って横方向に延びていてもよい。１つの作動モジュール１６の歯３０は、それに隣接する作動モジュール１６の歯と実質的に平行であってもよい。
【００３１】
図５と６は交換式摩耗部品を示しており、これは解体ツールのジョーアセンブリ１０に着脱可能に装着できる作動板１８である。作動板１８は第二のジョー１４に着脱可能に装着されてもよい。
【００３２】
作動板１８は、支持部７４に当接し、その上に載る板部材８２を含んでいてもよい。板部材８２は、第一の板部分８４と第二の板部分８６を有していてもよい。第一の板部分８４は第二の板部分８６に関して傾斜していてもよい。湾曲板部分８５が第一の板部分８４を第二の板部分８６に接続してもよい。第一の板部分８４と第二の板部分８６は、それぞれ第一の接触面７６と第二の接触面７８によって支持されてもよい。湾曲板部分８５は湾曲面７７によって支持されてもよい。
【００３３】
作動板１８は、第一の板部分８４から延びる少なくとも１つの歯部材８８を含んでいてもよい。作動板１８は、第一の板部分８４と第二の板部分８６から延びる複数の歯部材８８を含んでいてもよい。歯部材８８は、板部材８２に沿って縦方向に相互に離間されていてもよい。歯部材８８は、第一の板部分８４から第二の板部分８６へと延びていてもよい。各歯部材８８は、傾斜した側面を有していてもよく、実質的にはピラミッド形であってもよい。各歯部材８８は切形頂点９２を有していてもよい。
【００３４】
作動板１８は、第一の板部分８４から少なくとも１つの歯部材８８とは反対方向に延びるボス９０を含んでいてもよい。ボス９０は、開口部８０と係合してもよい。ボス９０は、開口部８０に嵌合するような形状と寸法であってもよい。ボス９０は円形であってもよい。
【００３５】
板部材８２は、その側縁に沿って延びる面取り部８１を有していてもよい。面取り部８１は、ボス９０を有する面に位置付けられていてもよい。
【００３６】
交換式部品を解体ツールのジョーアセンブリ１０に着脱可能に装着するためのモジュールシステムは、作動モジュール１６と作動板１８で構成されてもよい。作動モジュール１６は、ベース２８と、ベース２８から延びる少なくとも１つの歯３０と、ベース２８から少なくとも１つの歯３０と反対方向に延び、ジョーアセンブリ１０の第二のジョー１４に設置された少なくとも１つの台座部２４と係合する装着要素３２と、を有していてもよい。作動板１８は、ジョーアセンブリ１０の第二のジョー１４に設置された支持部７４と接触するように構成された板部材８２を有していてもよく、板部材８２は、相互に傾斜した第一の板部分８４と第二の板部分８６と、第一の板部分８４から延びる少なくとも１つの歯部材８８と、支持部７４の第一の接触面７６に設けられた開口部８０と係合するボス９０と、有し、ボス９０は、第一の板部分８４から、第一の板部分８４の少なくとも１つの歯部材８８と反対方向に延びる。作動モジュール１６と作動板１８が第二のジョー１４に組み付けられると、ベース２８は板部材８２の上方に延び、作動板１８を第二のジョー１４の上に保持してもよい。
【００３７】
図８を参照すると、ベース２８は板部材８２の上方へと延びてもよい。ベース２８は、スロット２６とは反対の、出っ張り３６の外側まで延びてもよい。肩部４０が板部材８２の上方に延びてもよい。各作動モジュール１６のベース２８がそれぞれ板部材８２の両側に延びてもよい。各作動モジュール１６の肩部４０がそれぞれ板部材８２の両側の上方に延びてもよい。
【００３８】
ベース２８の縁辺は、板部材８２の上方に延びるカンチレバーとして機能してもよい。作動モジュール１６のベース２８は、板部材８２の片側の上方に延びてもよい。反対の台座部２４に配置された第二の作動モジュール１６のベース２８は、板部材８２の反対側の上方に延びてもよい。板部材８２の第一の接触面７６に関する垂直運動は、作動モジュール１６のベース２８の縁辺によって防止されてもよい。
【００３９】
ある実施形態において、作動モジュール１６は、台座部２４の、第一の接触面７６に隣接する側に装着されてもよい。ベース２８は、台座部２４の、第一の接触面７６に隣接する側で支持されてもよい。
【００４０】
モジュールシステムの装着は、作動板１８を支持部に装着するステップと、その後、少なくとも１つの作動モジュール１６を各台座部２４に装着するステップを含んでいてもよい。作動モジュール１６は作動板１８を、それが第一の平面から離れる方向にまったく移動しないように保持してもよい。作動モジュール１６は作動板１８を、その第一の接触面７６から離れる方向へのわずかな動きも防止するように保持してもよい。ボス９０は開口部８０に嵌合し、板部材８２の第一の平面に実質的に平行な方向へのわずかな動き防止してもよい。ボス９０は開口部８０に嵌合して、板部材８２の第一の接触面７６に実質的に平行な方向へのわずかな動きも防止してもよい。
【００４１】
作動板１８は、支持部７４に向かって下げられてもよく、最終的に第一の板部分８４と第二の板部分８６がそれぞれ第一の接触面７６と第二の接触面７８と接触してもよく、ボス９０が開口部８０に嵌合してもよい。
【００４２】
次に、作動モジュール１６はスロット２６の中に挿入されてもよく、最終的に肩部４０が出っ張り３６に当接する。位置決め要素３８は、台座部２４の内壁の内部に嵌合してもよい。ピンが穴３４と装着穴３１に挿入されてもよい。ピンは、スプリングリテーナによって穴の中に保持されてもよい。ある実施形態において、ボルトが穴３４と装着穴３１に挿入されてもよい。
【００４３】
図１を参照すると、第一のジョー１２は、第一の板７と第二の板８を有していてもよく、それぞれの端が枢結部を通じて接続されている。第一の板７と第二の板８の反対の端において、前面板９が板７、８の両方に接続されていてもよい。第一の板７と第二の板８は各々、交換式摩耗部分を装着するように構成された動作縁辺１１を有していてもよい。
【００４４】
ある実施形態において、第一のジョー１２は動作縁辺が設けられた単独の本体から構成されていてもよい。
【００４５】
図２を参照すると、動作縁辺１１は、少なくとも１つの第一の連結部４４を有していてもよい。第一の連結部４４は、中間接触部材４６と、中間接触部材４６の両側から側面に沿って延びる１対の側方接触面４８を含んでいてもよい。
【００４６】
中間接触部材４６は、動作縁辺１１からの延長部であってもよい。中間接触部材４６の幅は動作縁辺１１の幅に対応していてもよい。
【００４７】
中間接触部材４６は接触面６４を有していてもよい。接触面６４は、動作縁辺１１から離間されていてもよい。接触面６４は実質的にＶ字形であってもよく、端部が中央部より、動作縁辺１１から大きく離間されている。
【００４８】
ある実施形態において、端部は動作縁辺１１に平行な隣接面９４を有していてもよい。
【００４９】
側方接触部材４８は、板７、８から、動作縁辺１１に平行な方向に突出していてもよい。各側方接触部材４８は、中間接触部材４６の側面に隣接する隣接面９４を提供してもよい。隣接面９４は、中間接触部材４６の側面に垂直であってもよい。接触面６４は隣接面９４から離間されていてもよい。接触面６４と隣接面９４は、同じ方向に面していてもよい。スロット９５が各側方接触面４８に設けられていてもよい。スロット９５は隣接面９４から、接触面６４とは反対方向に延びていてもよい。スロット９５は、隣接面９４の中央に配置されていてもよい。
【００５０】
スロット９５は、寸法のばらつきを克服してもよい。第一の突出部５０と第二の突出部５２が板として形成され、中間接触部材４６の両面に溶接されていてもよい。第一の突出部５０と第二の突出部５２は、穴１００から一定の距離で、動作縁辺１１に垂直に溶接されてもよい。スロット９５によって第一の突出部５０を取り付けることができ、第二の突出部５２は溶接してもよく、それらを中間接触部材４６に個別に取り付ける必要がない。
【００５１】
隣接面９４は、実質的に弓形であってもよい。隣接面９４は、中央が接触面６４の中央部に隣接するように形成されてもよい。隣接面９４と接触面６４のそれぞれの端は、隣接しない状態であってもよい。
【００５２】
各側方接触部材４８は、第二の突出部５２から離間された第一の突出部５０を含んでいてもよい。第一の突出部５０と第二の突出部５２は、隣接面９４の両端に配置されてもよい。第一の突出部５０と第二の突出部５２の各々は、側方接触部材４８の限界を画定してもよい。第一の突出部５０と第二の突出部５２は、接触面６４の端から離れていてもよい。第一の突出部５０と第二の突出部５２は、隣接面９４から接触面６４へと延びていてもよい。
【００５３】
ある実施形態において、第一の突出部５０と第二の突出部５２の各々の自由端は、動作縁辺１１と整列していてもよい。
【００５４】
第一の突出部５０は第一の係合面９６を有していてもよく、これは第二の突出部５２の第二の係合面９８と対面する。第一の係合面９６と第二の係合面９８は湾曲部を有していてもよい。第一の係合面９６と第二の係合面９８の各々は、凸状湾曲部と凹状湾曲部を有していてもよい。凹状湾曲部は隣接面９４に近接していてもよい。凸状湾曲部は隣接面９４から離れていてもよい。
【００５５】
第一の係合面９６と第二の係合面９８は、自由端から隣接面９４までの間に凸状曲湾曲部から凹状湾曲部に移行してもよい。第一の係合面９６についての凸状湾曲部から凹状湾曲部への変化の度合いは、第二の係合面９８の凸状湾曲部から凹状湾曲部への変化の度合いより大きい。第一の係合面９６の凸状湾曲部から凹状湾曲部への変曲は、第二の係合面９８の凸状湾曲部から凹状湾曲部への変曲より大きい。
【００５６】
第一の係合面９６の凸状湾曲部の曲率は、第二の係合面９８の凸状湾曲部の曲率より大きい。
【００５７】
ある実施形態において、第一の係合面９６と第二の係合面９８の凸状および凹状湾曲部の断面は円弧により画定されていてもよい。
【００５８】
各板７、８の動作縁辺１１は複数の第一の連結部４４を有していてもよい。第一の連結部４４は、縦方向に相互に整列していてもよい。第一の連結部４４は相互に離間されていてもよい。
【００５９】
第一の連結部４４は、前面板９に隣接して位置付けられていてもよい。第一の連結部４４は、枢結部を通じて接続される、板７、８の端に隣接して位置付けられていてもよい。第一の連結部４４の、前面板９に隣接する側方接触部材４８は、枢結部に隣接する第一の連結部４４の側方接触部材４８とミラー対称であってもよい。
【００６０】
図２を参照すると、動作縁辺１１は、少なくとも１つの第二の連結部６８を有していてもよい。第二の連結部６８は、少なくとも１つの第一の連結部４４に隣接していてもよい。第二の連結部６８は、少なくとも１つの第一の連結部４４と連続していてもよい。
【００６１】
第二の連結部６８は貫通穴１００を含んでいてもよい。穴１００は、板７、８を通って延びていてもよい。穴１００は、交換式摩耗部品を固定するためのボルトを収容するようになされていてもよい。穴１００は、板７、８上に、動作縁辺１１から離間させて配置されてもよい。穴１００は、板７、８の縦軸を横切るように設けられていてもよい。各板７、８の側面において、穴１００は、開口部１０２へと開放していてもよい。開口部１０２はスプリングリテーナを受けてもよい。ピンがスプリングリテーナによって穴１００の中に保持されてもよい。ある実施形態において、開口部１０２は、穴１００の中に挿入されるボルトのヘッドを受けてもよい。
【００６２】
各板７、８の動作縁辺１１は、複数の第二の連結部６８を有していてもよい。第二の連結部６８は、縦方向に相互に整列していてもよい。第二の連結部６８は相互に離間されていてもよい。
【００６３】
第二の連結部６８は、第一の連結部４４間に挟まれていてもよい。第一の連結部４４と第二の連結部６８は、動作縁辺１１で縦方向に相互に整列していてもよい。第二の連結部６８は、１つおきの第一の連結部４４の側方接触部材４８によって境界が定められていてもよい。
【００６４】
図９と１０は交換式摩耗部品を示しており、これは解体ツールのジョーアセンブリ１０に着脱可能に装着されてもよい摩耗板２０である。摩耗板２０は、第一の連結部４４にまたがるように構成された本体要素５４を含んでいてもよい。本体要素５４は実質的にＵ字形であってもよい。
【００６５】
本体要素５４は、１対の側面パネル１０６に接続された中央パネル１０４を有していてもよい。中央パネル１０４は、側面パネル１０６に垂直であってもよい。中央パネル１０４は、中央パネル１０４の縦軸を横切る方向の切込みを有していてもよい。摩耗板２０を第一の連結部４４に装着した時、中央パネル１０４は接触面６４の上に載ってもよい。中央パネル１０４は、接触面６４と相補的な形状の接触面６６を有していてもよい。接触面６６は、接触面と嵌合する、実質的にＶ字形であってもよい。接触面６６の中央突出部は接触面６４の中央陥凹部に嵌合してもよい。相補的な形状の接触面６４、６６は、第一の連結部４４の上での摩耗板２０の軸方向の運動を制限してもよい。
【００６６】
各側面パネル１０６は、中央パネル１０４に接続された縁辺の反対に配置された隣接縁辺１０８を有していてもよい。隣接縁辺１０８は、側方接触部材４８の隣接面９４に適合するような形状であってもよい。
【００６７】
１対の第一の係合要素５６が少なくとも１つの第一の連結部４４に設置された第一の突出部５０と係合するように、本体要素５４の端から延びていてもよい。第一の係合要素５６は、中央パネル１０４から実質的に離れる方向に延びていてもよい。１対の第一の係合要素５６は、本体要素５４上で離間されてもよい。１対の第一の係合要素５６は相互に実質的に平行であってもよい。１対の第一の係合要素５６はミラー対称であってもよい。第一の係合要素５６は、側面パネル１０６と中央パネル１０４に設置されてもよい。
【００６８】
第一の係合要素５６の各々は、１対の分岐した指状部６０、６２を含んでいてもよい。第一の指状部６０は、第二の指状部６２に関して角度離間されていてもよい。第一の指状部６０は、第二の指状部６２に関して１０°〜５０°角度離間されていてもよい。好ましくは、第一の指状部６０は、第二の指状部６２に関して１５°〜３５°角度離間されていてもよい。好ましくは、第一の指状部６０は、第二の指状部６２に関して２０°〜４０°角度離間されていてもよい。好ましくは、第一の指状部６０は、第二の指状部６２に関して２５°〜４５°角度離間されていてもよい。好ましくは、第一の指状部６０は、第二の指状部材６２に関して３０°だけ角度離間されていてもよい。
【００６９】
３０°の角度離間では、摩耗板２０は第一の突出部５０と係合し、指状部６０、６２が長く、細くなって、破損のリスクが増大しうるのを防止するように保持されてもよい。５０°を超える角度では、摩耗板２０は第一の突出部５０と係合状態に保持されないかもしれない。第一の溝１１０が１対の分岐指状部６０、６２の間に形成されてもよい。第一の溝１１０の断面は円弧によって画定されてもよい。円弧は、それぞれの開放部の反対にあってもよい。第一の溝１１０は、第一の突出部５０を受けてもよい。第一の溝１１０は、第一の突出部５０を収容する大きさと形状であってもよい。
【００７０】
第一の指状部６０の各々は、側面パネル１０６に設置されていてもよい。第一の指状部６０は、中央パネル１０４に関して傾斜していてもよい。第一の指状部６０の縦軸は、中央パネル１０４の縦軸に関して傾斜していてもよい。第一の指状部６０の縦軸は、第二の指状部６２の縦軸に関して傾斜していてもよい。第一の指状部６０の、第一の溝１１０と境界を接する側面とは反対の側面は、隣接縁辺１０８の側面を形成してもよい。
【００７１】
第二の指状部６２の各々は、側面パネル１０６と中央パネル１０４の接続部に設置されてもよい。第二の指状部６２は、部分的に側面パネル１０６から延びていてもよく、部分的に中央パネル１０４から延びていてもよい。第二の指状部６２の縦軸は、中央パネル１０４の縦軸に平行であってもよい。
【００７２】
第二の指状部６２の、第一の溝１１０と境界を接する側面とは反対の側面は、中央パネル１０４と同一平面にあってもよい。第一の保持領域１１４が、相互に同一平面にある、中央パネル１０４の端部の表面と第二の指状部６２の側面により形成されてもよい。第一の保持領域１１４は切込みによって境界が画定されてもよい。
【００７３】
１対の第二の係合要素５８は、少なくとも１つの第一の連結部４４に設置された第二の突出部５２と係合するように、本体要素５４の端から延びていてもよい。第二の係合要素５８は、中央パネル１０４から実質的に遠ざかる方向に延びていてもよい。第二の係合要素５８は、第一の係合要素５６の延長方向の反対方向に延びていてもよい。１対の第二の係合要素５８は、本体要素５４の上で離間されていてもよい。１対の第二の係合要素５８は、相互に実質的に平行であってもよい。１対の第二の係合要素５８はミラー対称であってもよい。第二の係合要素５８は、側面パネル１０６と中央パネル１０４に設置されてもよい。
【００７４】
第二の係合要素５８の各々は、１対の分枝６３、６５を含んでいてもよい。第一の分枝６３は第二の分枝６５に関して角度離間されていてもよい。第一の分枝６３は、第二の分枝６５に関して１０°〜５０°角度離間されていてもよい。好ましくは、第一の分枝６３は、第二の分枝６５に関して１５°〜３５°角度離間されていてもよい。好ましくは、第一の分枝６３は、第二の分枝６５に関して２０°〜４０°角度離間されていてもよい。好ましくは、第一の分枝６３は、第二の分枝６５に関して２５°〜４５°角度離間されていてもよい。好ましくは、第一の分枝６３は、第二の分枝６５に関して３０°角度離間されていてもよい。
【００７５】
３０°の角度離間では、摩耗板２０は、第二の突出部５２と係合して、分枝６３、６５が長く、細くなり、破損のリスクが増大しうるのを防止するように保持されてもよい。５０°より大きい角度の場合、摩耗板２０は第二の突出部５２と係合状態に保持されないかもしれない。
【００７６】
分岐指状部６０、６２の角度離間は分枝６３、６５と同じであってもよい。ある実施形態において、分岐指状部６０、６２の角度離間は分枝６３、６５より小さくてもよい。
【００７７】
第二の溝１１２が、各対の分枝６３、６５間に形成されてもよい。第二の溝１１２の断面は、円弧により画定されてもよい。円弧は、それぞれの開放側と反対にあってもよい。第二の溝１１２は第二の突出部５２を受けてもよい。第二の溝１１２は、第二の突出部５２を収容する寸法と形状であってもよい。
【００７８】
第二の溝１１２の寸法は第一の溝１１０と同じであってもよい。第二の溝１１２の直径は、第一の溝１１０と同じであってもよい。ある実施形態において、第二の溝１１２の寸法は第一の溝１１０より大きくてもよい。第二の溝１１２の直径は第一の溝１１０より大きくてもよい。
【００７９】
第一の分枝６３の各々は、側面パネル１０６に設置されてもよい。第一の分枝６３は、中央パネル１０４に関して傾斜していてもよい。第一の分枝６３の縦軸は、中央パネル１０４の縦軸に関して傾斜していてもよい。第一の分枝６３の縦軸は、第二の分枝６５の縦軸に関して傾斜していてもよい。第一の分枝６３の、第一の溝１１０と境界を接する側面とは反対の側面は、隣接縁辺１０８の側面を形成してもよい。
【００８０】
第二の分枝６５の各々は、側面パネル１０６と中央パネル１０４の接続部に設置されてもよい。第二の分枝６５は、部分的に側面パネル１０６から延びていてもよく、部分的に中央パネル１０４から延びていてもよい。第二の分枝６５の縦軸は、中央パネル１０４の縦軸に平行であってもよい。
【００８１】
第二の分枝６５の、第一の溝１１０と境界を接する側面とは反対の側面は、中央パネル１０４の表面と同一平面であってもよい。第二の保持領域１１６は、相互に同一平面にある、中央パネル１０４の端部の表面と第二の分枝６５の側面により形成されてもよい。第二の保持領域１１６は、切欠きによって境界が画定されていてもよい。第二の保持領域１１６は、第一の保持領域１１４の反対側に形成されてもよい。
【００８２】
図１２は、第一の連結部４４に取り付けられた摩耗板２０を示す。第一の係合要素５６と第二の係合要素５８は、中間接触部材４６の側面に沿って延びていてもよい。第一の保持領域１１４は、中間接触部材４６の隣接面９４と同一平面であってもよい。第二の保持領域１１６は、中間接触部材４６の隣接面９４と同一平面であってもよい。
【００８３】
図１１は交換式摩耗部品を示しており、これは解体ツールのジョーアセンブリ１０に着脱可能に装着されてもよい動作モジュール２２である。動作モジュール２２は、少なくとも１つの第二の連結部６８に装着されるように構成された本体部材７０を含んでいてもよい。本体部材７０は、中間接触部材４６にまたがるように、実質的にＵ字形であってもよい。脚部１１８が本体部材７０から延びていてもよい。脚部１１８は、本体部材７０から縦方向に延びていてもよい。脚部１１８には、第二の連結部６８に連結するためのピンを受ける貫通穴１２０が設けられていてもよい。
【００８４】
動作モジュール２２は、本体部材７０に設置された少なくとも１つの留め具７２を有していてもよい。留め具７２は、本体部材７０から横方向に突出していてもよい。留め具７２は部材７０に、脚部１１８から離間させて設置されてもよい。留め具７２は、実質的に三角形であってもよい。留め具７２の断面は三角形であってもよい。
【００８５】
ある実施形態において、留め具７２は平坦な延長部であってもよい。留め具７２の断面は長方形であってもよい。
【００８６】
留め具７２は、脚部１１８の延長方向に面する保持面１２２を有していてもよい。保持面１２２は平坦であってもよい。保持面１２２は、動作モジュール２２が第二の連結部６８で装着されたとき、留め具７２が摩耗板２０の上方まで延びることができるような寸法を有していてもよい。留め具７２は、第二の係合要素５８の上方に延びてもよい。留め具７２は、第一の係合要素５６の上方に延びていてもよい。
【００８７】
図１２を参照すると、留め具７２は第二の係合要素５８の上方に延びていてもよい。留め具７２は、第一の係合要素５６の上に延びていてもよい。保持面１２２は、隣接面９４と第一の保持領域１１４と接触してもよい。保持面１２２は、隣接面９４と第二の保持領域１１６と接触してもよい。
【００８８】
保持面１２２は、第二の係合要素５８と係合して、摩耗板２０を第一のジョー１２に保持してもよい。保持面１２２は、第二の保持領域１１６と係合して、摩耗板２０を第一のジョー１２に保持してもよい。保持面１２２は、第一の係合要素５６と係合して、摩耗板２０を第一のジョー１２に保持してもよい。保持面１２２は、第一の保持領域１１４と係合して、摩耗板２０を第一のジョー１２に保持してもよい。
【００８９】
ある実施形態において、１対の留め具７２が本体部材７０の両側に設置されてもよい。留め具７２は、本体部材７０から両側に延びていてもよい。留め具７２は、１つおきの摩耗板２０の第一の係合要素５６と第二の係合要素５８の上方へと延びるように構成されてもよい。留め具７２は、１つおきの摩耗板２０の第二の係合要素５８の上方に延びるように構成されてもよい。
【００９０】
交換式部品を解体ツールのジョーアセンブリ１０に着脱可能に装着するためのモジュールシステムは、摩耗板２０と動作モジュール２２から構成されてもよい。摩耗板２０は、ジョーアセンブリ１０の第一のジョー１２に設置される少なくとも１つの第一の連結部４４にまたがるように構成された本体要素５４と、少なくとも１つの第一の連結部４４に設置された第一の突出部５０と係合するための、本体要素５４の端から延びる１対の離間された第一の係合要素５６と、少なくとも１つの第一の連結部４４に設置された第二の突出部５２と係合するための、本体要素５４の反対の端から縦方向に延びる１対の離間された第二の係合要素５８を含んでいてもよい。動作モジュール２２は、第一のジョー１２に、少なくとも１つの第一の連結部４４に近接させて設置された少なくとも１つの第二の連結部６８に装着可能に構成された本体部材７０と、本体部材７０の側面に設置され、第二の係合要素５８の上方に延びるように構成された少なくとも１つの留め具７２と、を含んでいてもよい。摩耗板２０と動作モジュール２２が第一のジョー２４に組み付けられた時、留め具７２は第二の係合要素５８の上方に延び、第一のジョー１２に摩耗板２０を保持してもよい。
【００９１】
ある実施形態において、１対の留め具７２は、本体部材７０の両側に設置されてもよい。留め具７２は、１つおきの摩耗板２０の第一の係合要素５６と第二の係合要素５８の上方に延びるように構成されていてもよい。留め具７２は、１つおきの摩耗板２０の第二の係合要素５８の上方に延びるように構成されていてもよい。
【００９２】
モジュールシステムの取り付けには、摩耗板２０を第一の連結部４４に装着するステップと、その後、少なくとも１つの動作モジュール２２を第二の連結部６８に装着するステップを含んでいてもよい。
【００９３】
摩耗板２０は、第一の連結部４４に装着してもよい。摩耗板２０は、第一の係合要素５６が第一の突出部５０の方向を向くことができるように位置付けられてもよい。摩耗板２０は、第一の連結部４４に向かって移動され、第一の係合要素５６は第一の突出部５０と接触する。第一の指状部６０は、第一の係合面９６の凹状湾曲部と接触してもよい。第一の係合面９６の凸状湾曲部は第一の溝１１０に嵌合してもよい。第二の指状部６２は、第一の突出部５０の自由端と係合してもよい。側面パネル１０６は、中間接触部材４６の側面と接触してもよい。
【００９４】
第一の係合要素５６が第一の突出部５０といったん係合すると、摩耗板２０は、図１３に示されるように、線Ａに沿って回転して第一の連結部４４と接触してもよい。線Ａは、第一の係合面９６の凸状曲湾曲部と同心であってもよい。摩耗板２０は、第一の連結部４４から外されると、図１３に示されるように、線Ａに沿ってそこから遠ざかるように回転してもよい。
【００９５】
凸状湾曲部が第一の溝１１０の中で、側面接触部材４８に関して移動してもよい。第一の指状部６０は、側面接触部材４８の第一の係合面９６の凹状湾曲部の中で回転してもよい。側面パネル１０６は、中間接触部材４６の側面に当たって摺動してもよい。
【００９６】
摩耗板２０は、第一の突出部５０の第一の係合面９６の凸状湾曲部の周囲で回転すると、第二の係合要素５８が移動して、第二の突出部５２の第二の係合面９８と接触する。第一の分枝６３は、第二の係合面９８の凸上湾曲部を通過して摺動し、その凹状湾曲部と接触してもよい。第二の分枝６５は移動して、第二の突出部５２の自由端と接触してもよい。第二の分枝６５は、第二の係合面９８の凸状湾曲部と接触し、その上に載ってもよい。側面パネル１０６の隣接縁辺１０８は移動して、側面接触部材４８のそれぞれの隣接面９４と接触する。摩耗板２０の接触面６６は、中間接触部材４６の接触面６４と嵌合してもよい。
【００９７】
摩耗板２０が第一の連結部４４に装着された後、動作モジュール２２が第二の連結部６８の中へと進められる。本体部材７０は動作縁辺１１にまたがる状態となり、脚部１１８は、穴１２０が穴１００と整列するように位置付けられる。ボルトが貫通穴１２０と穴１００に挿入され、作動モジュール２２が第二の連結部６８に保持されてもよい。作動モジュール２２が装着されると、少なくとも１つの留め具７２は本体部材７０の片側に設置されてもよく、第二の係合要素５８の上方に延びてもよい。
【００９８】
図１４は、作動モジュール１６、作動板１８、摩耗板２０、動作モジュール２２によって代表される交換式摩耗部品が装着されたジョーアセンブリ１０を示す。
【００９９】
当業者であれば、上記の実施形態を変更し、また組み合わせて、本開示によるジョーアセンブリ１０と交換式摩耗部品１６、１８、２０、２２を獲得できることがわかるであろう。
【産業上の利用可能性】
【０１００】
本開示は、ジョーアセンブリ１０と交換式摩耗部品を説明している。交換式摩耗部品は、マルチプロセッサ、粉砕機、破砕機および、閉鎖運動するジョーセットまたはグラップルタインを有していてもよいその他の解体ツール等の解体ツールのジョーアセンブリ１０に装着されてもよい。交換式摩耗部品は、ジョーアセンブリ１０の、それに対応する指示部に装着されてもよい。交換式摩耗部品により、物体の破砕または切断等の解体作業中にジョーアセンブリ１０が摩耗から保護される。交換式摩耗部品は、破砕または切断作業に適した材料で作製されてもよい。
【０１０１】
交換式摩耗部品は、容易に、効率的にジョーアセンブリに装着し、またそこから取り外すことができる。交換式摩耗部品が解体ツールの操作によって消耗したら、モジュールは容易に代わりの交換式モジュールと交換できる。
【０１０２】
交換式摩耗部品１８、２０は、ボルトやピンを使用せずにジョーアセンブリ１０に着脱可能に装着できる。
【０１０３】
したがって、本開示は、適用法の下で可能なかぎり、本明細書に添付の特許請求の範囲に記載されている主旨のあらゆる変更と均等物を含む。さらに、上記の要素のあらゆる可能な変形型のあらゆる組合せも、特に別段の断わりがないかぎり、本開示に包含される。
【０１０４】
特許請求の範囲のいずれかの項に記載された技術的特徴に参照符号が付けられている場合、この参照符号は請求項を読み易くするために含まれたにすぎず、したがって、参照符号の有無には、上記の技術的特徴または請求項の要素の範囲を限定する効果は一切ない。
【０１０５】
当業者であれば、本開示を、本開示またはその本質的特徴から逸脱することなく、他の具体的な形態で実施してもよいことがわかるであろう。したがって、上記の実施形態はあらゆる点において、本明細書に記した開示の内容を限定するのではなく、例示していると解釈するものとする。それゆえ、本発明の範囲は上記の説明ではなく、付属の特許請求の範囲により示され、したがって、特許請求の範囲の均等物の意味と範囲に含まれる変形はすべて、本願に包含されるものとする。
【符号の説明】
【０１０６】
７  第一の板
８  第二の板
９  前面板
１０  ジョーアセンブリ
１１  動作縁辺
１２  第一のジョー
１３  第一のアーム
１４  第二のジョー
１５  第二のアーム
１６  作動モジュール
１７  装着部
１８  作動板
２０  摩耗板
２２  動作モジュール
２４  台座部
２６  スロット
２８  ベース
３０  歯
３１  装着穴
３２  装着要素
３４  穴
３６  出っ張り
３８  位置決め要素
４０  肩部
４２  切形頂点
４４  第一の連結部
４６  中間接触部材
４８  側面（方）接触部材
５０  第一の突出部
５２  第二の突出部
５４  本体要素
５６  第一の係合要素
５８  第二の係合要素
６０  第一の指状部
６２  第二の指状部
６３  第一の分枝
６４  接触面
６５  第二の分枝
６６  接触面
６８  第二の連結部
７０  本体部材
７２  留め具
７４  支持部
７６  第一の接触面
７７  湾曲面
７８  第二の接触面
８０  開口部
８１  面取り部
８２  板部材
８４  第一の板部分
８５  湾曲板部分
８６  第二の板部分
８８  歯部材
９０  ボス
９２  切形頂点
９４  隣接面
９５  スロット
９６  第一の係合面
９８  第二の係合面
１００  穴
１０２  開口部
１０４  中央パネル
１０６  側面パネル
１０８  隣接縁辺
１１０  第一の溝
１１２  第二の溝
１１４  第一の保持領域
１１６  第二の保持領域
１１８  脚部
１２０  穴
１２２  保持面
【図１】
0006396644.tif 000002
【図２】
0006396644.tif 000003
【図３】
0006396644.tif 000004
【図４】
0006396644.tif 000005
【図５】
0006396644.tif 000006
【図６】
0006396644.tif 000007
【図７】
0006396644.tif 000008
【図８】
0006396644.tif 000009
【図９】
0006396644.tif 000010
【図１０】
0006396644.tif 000011
【図１１】
0006396644.tif 000012
【図１２】
0006396644.tif 000013
【図１３】
0006396644.tif 000014
【図１４】
0006396644.tif 000015